(57)【要約】【課題】洗浄剤配合物及び布地柔軟剤配合物を提供する。【解決手段】本発明の一実施態様は、固体組成物少なくとも１種を含むところの洗浄剤配合物及び／又は布地柔軟剤配合物であって、該固体組成物は、（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、並びに（ｉｉ）前記固体組成物の全質量に基づいて、１種又はそれより多くの液体５質量％ないし８０質量％からなる配合物、並びに更に新規固体組成物からなる。【特許請求の範囲】
【請求項１】
固体組成物少なくとも１種を含むところの洗浄剤配合物又は布地柔軟剤配合物であって、
該固体組成物は、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、並びに
（ｉｉ）前記固体組成物の全質量に基づいて、１種又はそれより多くの液体５質量％ないし８０質量％
からなる配合物。
【請求項２】
前記固体組成物が微粉状である、請求項１記載の洗浄剤配合物又は布地柔軟剤配合物。
【請求項３】
前記液体が実質的に前記固体組成物中に均一に分散されている、請求項１又は請求項２記載の洗浄剤配合物又は布地柔軟剤配合物。
【請求項４】
１種又はそれより多くの非水性液体のエマルジョンが前記固体組成物中で使用されている、請求項１ないし請求項３の何れか一項記載の洗浄剤配合物又は布地柔軟剤配合物。
【請求項５】
前記固体組成物中の前記液体がポリアルキレンエマルジョン、シリコーンオイル、ポリジメチルシロキサン、脂肪酸アルカノールアミド及び／又はポリウレタン、或いはそれらの混合物である、請求項１ないし請求項４の何れか一項記載の洗浄剤配合物又は布地柔軟剤配合物。
【請求項６】
前記固体組成物中の前記液体含有率が、前記固体組成物の全質量に基づいて、１５質量％ないし８０質量％である、請求項１ないし請求項５の何れか一項記載の洗浄剤配合物又は布地柔軟剤配合物。
【請求項７】
固体の微粉状組成物少なくとも１種を含むところの請求項１記載の洗浄剤配合物又は布地柔軟剤配合物であって、
該固体の微粉状組成物が、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、
（ｉｉ）前記固体組成物の全質量に基づいて、１種又はそれより多くの液体５質量％ないし８０質量％、並びに
（ｉｉｉ）前記固体組成物の全質量に基づいて、水０質量％ないし１０質量％
からなる配合物。
【請求項８】
前記固体の微粉状組成物が顆粒の形態にある、請求項１ないし請求項７の何れか一項記載の洗浄剤配合物又は布地柔軟剤配合物。
【請求項９】
固体組成物であって、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、並びに
（ｉｉ）前記固体組成物の全質量に基づいて、１種又はそれより多くの液体５質量％ないし８０質量％
からなる固体組成物少なくとも１種の、洗浄剤配合物又は布地柔軟剤配合物における使用。
【請求項１０】
前記固体組成物が微粉状である、請求項９記載の使用。
【請求項１１】
前記液体が実質的に均一に分散されている、請求項９又は請求項１０記載の使用。
【請求項１２】
１種又はそれより多くの液体のエマルジョンが使用される、請求項９ないし請求項１１の何れか一項記載の使用。
【請求項１３】
前記液体がポリアルキレンエマルジョン、シリコーンオイル、ポリジメチルシロキサン、脂肪酸アルカノールアミド及び／又はポリウレタン、或いはそれらの混合物である、請求項９ないし請求項１２の何れか一項記載の使用。
【請求項１４】
前記液体含有率が、前記固体組成物の全質量に基づいて、１５質量％ないし８０質量％である、請求項９ないし請求項１３の何れか一項記載の使用。
【請求項１５】
固体の微粉状組成物であって、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、
（ｉｉ）前記固体組成物の全質量に基づいて、ポリアルキレン、シリコーンオイル、ポリジメチルシロキサン、脂肪酸アルカノールアミド及び／又はポリウレタン、或いはそれらの混合物２０質量％ないし８０質量％、特に３０質量％ないし８０質量％、より特別に３０質量％ないし７５質量％、並びに
（ｉｉｉ）前記固体組成物の全質量に基づいて、水０質量％ないし１０質量％
からなる固体の微粉状組成物少なくとも１種が使用される、請求項９記載の使用。
【請求項１６】
前記固体の微粉状組成物が顆粒の形態にある、請求項９ないし請求項１５の何れか一項記載の使用。
【請求項１７】
請求項１ないし請求項８の何れか一項記載の洗浄剤配合物であって、
Ｉ）前記洗浄剤配合物の全質量に基づいて、少なくとも１種のアニオン性界面活性剤Ａ）及び／又は少なくとも１種の非イオン性界面活性剤Ｂ）５％ないし９０％、
ＩＩ）前記洗浄剤配合物の全質量に基づいて、少なくとも１種のビルダー物質Ｃ）５％ないし７０％、
ＩＩＩ）前記洗浄剤配合物の全質量に基づいて、少なくとも１種の過酸化物Ｄ）及び、所望により、少なくとも１種の活性化剤、０％ないし３０％、
ＩＶ）前記洗浄剤配合物の全質量に基づいて、請求項９ないし請求項１６の何れか一項において定義された少なくとも１種の固体組成物Ｅ）０．１％ないし７０％、
Ｖ）前記洗浄剤配合物の全質量に基づいて、少なくとも１種の別の添加剤Ｆ）０％ないし６０％、並びに
ＶＩ）前記洗浄剤配合物の全質量に基づいて、水Ｇ）０％ないし１２％
を含む配合物。
【請求項１８】
請求項１７記載の洗浄剤配合物であって、
Ｉ）前記洗浄剤配合物の全質量に基づいて、炭素原子数１２ないし２２のアルキルエトキ
シスルフェート（式中、アルキル基は１０個ないし２０個の炭素原子を含み、そして先端基は平均２個又は３個のエトキシユニットを含む。）；アルキル基中に９個ないし１５個の炭素原子を有するアルキルベンゼンスルホネート；当該アルキル基中に６個ないし１６個の炭素原子を有するアルキルナフタレンスルホネート；或いは、式Ｒ46−ＣＯ−Ｎ（Ｒ47）−ＣＨ2 ＣＯＯＭ1 
［式中、
Ｒ46はアルキル又はアルケニル基中に８個ないし１８個の炭素原子を有するアルキル基又はアルケニル基を表わし、
Ｒ47は炭素原子数１ないし４のアルキル基を表わし、そして
Ｍ1 はアルカリ金属を表わす。］
で表わされるアルカリ金属サルコシネート、からなる群からの少なくとも１種のアニオン性界面活性剤Ａ）、及び／又は
エチレンオキシド３モルないし８モルと、９個ないし１５個の炭素原子を含有する第一級アルコール１モルとの縮合生成物からなる群からの少なくとも１種の非イオン性界面活性剤Ｂ）
５％ないし９０％、
ＩＩ）前記洗浄剤配合物の全質量に基づいて、燐酸アルカリ金属塩；炭酸塩；炭酸水素塩；珪酸塩；珪酸アルミニウム；ポリカルボン酸塩；ポリカルボン酸；有機ホスホネート及びアミノアルキレンポリ（アルキレンホスホネート）からなる群からの少なくとも１種のビルダー物質Ｃ）５％ないし７０％、
ＩＩＩ）前記洗浄剤配合物の全質量に基づいて、有機モノ−又はポリ−過酸化物；有機過酸又はその塩；過硫酸塩；過硼酸塩；過炭酸塩；及び過珪酸塩からなる群からの過酸化物Ｄ）０ないし３０％、
ＩＶ）前記洗浄剤配合物の全質量に基づいて、請求項９ないし請求項１６の何れか一項において定義された固体組成物Ｅ）０．１％ないし７０％、
Ｖ）前記洗浄剤配合物の全質量に基づいて、蛍光増白剤；汚れに対する懸濁剤；ｐＨ調整剤；発泡調整剤；噴霧−乾燥及び顆粒化特性を調整するための塩；芳香剤；帯電防止剤；布地柔軟剤；酵素；漂白剤；顔料；調色剤；更に、織布の洗浄中、洗浄条件下で前記織布から放出された洗浄液中の染料により引き起こされる染色を阻止するポリマー；及び漂白剤活性化剤からなる群からの別の添加剤Ｆ）０％ないし６０％、並びに
ＶＩ）前記洗浄剤配合物の全質量に基づいて、水Ｇ）０％ないし１２％
を含む配合物。
【請求項１９】
請求項１ないし請求項８の何れか一項記載の布地柔軟剤配合物であって、
Ａ）前記布地柔軟剤配合物の全質量に基づいて、少なくとも１種の布地柔軟剤成分０．５質量％ないし５０質量％、
Ｂ）前記布地柔軟剤配合物の全質量に基づいて、少なくとも１種の増粘剤、とりわけポリマー状増粘剤０．００５質量％ないし１５質量％、
Ｃ）前記布地柔軟剤配合物の全質量に基づいて、請求項９ないし請求項１６の何れか一項において定義された少なくとも１種の固体組成物０．１質量％ないし７０質量％、
Ｄ）前記布地柔軟剤配合物の全質量に基づいて、少なくとも１種の別の慣用の助剤０質量％ないし２０質量％、並びに
Ｅ）前記布地柔軟剤配合物の全質量に基づいて、水１００％質量になるまで
を含む配合物。
【請求項２０】
固体組成物であって、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、並びに
（ｉｉ）前記組成物の全質量に基づいて、１種又はそれより多くの液体５質量％ないし８０質量％
からなる組成物。
【請求項２１】
前記固体組成物が微粉状である、請求項２０記載の組成物。
【請求項２２】
前記液体が実質的に均一に分散されている、請求項２０又は請求項２１記載の組成物。
【請求項２３】
１種又はそれより多くの非水性液体のエマルジョンが使用されている、請求項２０ないし請求項２２の何れか一項記載の組成物。
【請求項２４】
前記液体がポリアルキレンエマルジョン、シリコーンオイル、ポリジメチルシロキサン、脂肪酸アルカノールアミド又はポリウレタン、或いはそれらの混合物である、請求項２０ないし請求項２３の何れか一項記載の組成物。
【請求項２５】
前記非水性液体含有率が、前記固体組成物の全質量に基づいて、１５質量％ないし８０質量％である、請求項２０ないし請求項２４の何れか一項記載の組成物。
【請求項２６】
請求項２０記載の固体の微粉状組成物であって、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、
（ｉｉ）前記固体組成物の全質量に基づいて、ポリアルキレン、シリコーンオイル、ポリジメチルシロキサン、脂肪酸アルカノールアミド及び／又はポリウレタン、或いはそれらの混合物２０質量％ないし８０質量％、特に３０質量％ないし８０質量％、より特別に３０質量％ないし７５質量％、並びに
（ｉｉｉ）前記固体組成物の全質量に基づいて、水０質量％ないし１０質量％
からなる固体の微粉状組成物。
【請求項２７】
請求項２０ないし請求項２６の何れか一項記載の組成物を含む顆粒。
【発明の詳細な説明】
【技術分野】
【０００１】
本発明は、吸着剤キャリア材料と、非水性液体又は非水性液体の水性エマルジョン５質量％ないし８０質量％とを含む固体組成物を含む洗浄剤配合物及び布地柔軟剤配合物、並びに、新規固体組成物に関するものである。
【発明の開示】
【発明が解決しようとする課題】
【０００２】
液体を高い比率で含む固体は普通もはや微粉状ではなく、通常、更に加工することが困難な粘着性の、しばしば粘稠な塊状物である。従って、本発明の目的は、非水性液体又は非水性液体の水性エマルジョン、とりわけシリコーンオイルを高い比率で含み、そして同時に、まだ微粉状であり、それ故、容易に、即ち、特別な費用を必要とすることなく、更に加工され得る固体組成物を含む洗浄剤配合物及び布地柔軟剤配合物を提供することである。
【課題を解決するための手段】
【０００３】
本発明の一実施態様は、固体組成物少なくとも１種を含むところの洗浄剤配合物及び／又は布地柔軟剤配合物であって、
該固体組成物は、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、並びに
（ｉｉ）前記固体組成物の全質量に基づいて、１種又はそれより多くの液体５質量％ないし８０質量％
からなる配合物に関するものである。
【０００４】
高い液体含有率にも係わらず、前記固体組成物はそれ自体微粉状である。従って、このような固体組成物は、容易に、更に加工され得る。例えば、本発明の固体組成物は、更に加工されて、顆粒、フレーク、コンパクト等を形成し得、これらは更にカプセル化され得る。しかしながら、本発明の固体組成物をそのまま使用することも可能である。
【０００５】
前記液体は、前記固体組成物中に実質的に均一に分散されている。
好ましいキャリア材料は、セルロース材料、微結晶性セルロース、尿素−ホルムアルデヒド縮合生成物及びメラミン−ホルムアルデヒド縮合生成物である。
【０００６】
同様に好ましいキャリア材料は、重合、重縮合により又は、重付加反応により或いは、このような反応の組み合わせにより形成された、高分散性の固体ポリマー化合物である。このようなポリマー化合物は、例えば、イギリス国特許出願公開第１３２３８９０号明細書又はスイス国特許第５２２００７号明細書に記載されており、そして、重縮合生成物、とりわけ重縮合したアミノプラスチック、例えば尿素−ホルムアルデヒドポリマー化合物及びメラミン−ホルムアルデヒドポリマー化合物、及び更に、ビニルポリマー、例えばポリアクリロニトリルを包含する。
【０００７】
水不溶性の尿素−ホルムアルデヒドポリマー化合物及びこのようなポリマーの製造は、例えば、エイ．レンナー（Ａ．Ｒｅｎｎｅｒ）、「高分子化学（Ｍａｋｒｏｍｏｌｅｋｕｌａｒｅ  Ｃｈｅｍｉｅ）１４９」、１〜２７（１９７１）から知られている。
【０００８】
前記尿素−ホルムアルデヒドポリマー化合物は、水溶液中で、ホルムアルデヒドと尿素とを反応させることにより製造される。この反応は、好ましくは、２段階で行われる。第一反応段階において、慣用の縮合手順により、尿素をホルムアルデヒドと反応させ、低分子量の、水溶性の予備縮合生成物が形成される。第二反応段階において、反応を促進し且つ架橋するために、酸触媒が使用され得、不溶性の微粉状の固体が形成される。
【０００９】
好ましくは、前記キャリアは、前記固体組成物の全質量に基づいて、非水溶性液体又はこのような液体の混合物５質量％ないし８０質量％を含む。このような液体は、純粋な有機材料、例えば、シリコーンオイル、又は、非水溶性溶剤を使用して液状にされたワックス状物質であり得る。しかしながら、純粋形態におけるこれらの物質の多くの製造は、可能でないか又は非常な困難を伴ってのみ可能であり、従って、それらは、水含有配合物、例えば、ポリアルキレンの又はシリコーンオイルのエマルジョンとして、或いは、ワックス様物質、例えば、脂肪酸アルカノールアミドのエマルジョンとして製造される。このような水含有配合物を使用して非水性液体相の本発明にて請求された含有率を有する固体組成物を製造することも可能であり、その後、前記組成物は、洗浄剤配合物及び／又は及び布地柔軟剤配合物内に配合され得る。
【００１０】
別の利点は、前記固体組成物に対してエマルジョンが使用される場合、前記固体組成物の記載された性質を得るために、前記エマルジョンにより導入された水を完全に除去することが絶対必要ではないということである。
【００１１】
別の態様は、（純粋な非水性液体の代わりに）一種又はそれより多くの非水性液体のエマルジョンを使用することを含む。
【００１２】
従って、前記固体組成物は、所望により、前記固体組成物の全質量に基づいて、水０質量％ないし１０質量％を含み得る。前記液体は、この場合、同様に、前記固体組成物に実質的に均一に分布する。
【００１３】
本発明の別の態様は、固体組成物少なくとも１種を含むところの洗浄剤配合物及び／又は布地柔軟剤配合物であって、
該固体組成物は、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、並びに
（ｉｉ）前記固体組成物の全質量に基づいて、１種又はそれより多くの液体５質量％ないし８０質量％、並びに
（ｉｉｉ）前記固体組成物の全質量に基づいて、水０質量％ないし１０質量％
からなる配合物に関するものである。
【００１４】
エマルジョンの形態において使用され得る前記固体組成物中の前記非水性液体は、とりわけ、ポリアルキレン、シリコーンオイル、ポリジメチルシロキサン、脂肪酸アルカノールアミド又はポリウレタンである。
【００１５】
ポリアルキレン、シリコーンオイル、ポリジメチルシロキサン、脂肪酸アルカノールアミド及びポリウレタンの含有率は、前記固体組成物の全質量に基づいて、５質量％ないし８０質量％である。前記含有率は、２０質量％ないし８０質量％、特に３０質量％ないし８０質量％、より特別に３０質量％ないし７５質量％である。
【００１６】
とりわけ好ましい非水性液体（又は、そのエマルジョン）はシリコーンオイルである。
【００１７】
シリコーンオイルは通常、１０００ないし１５００００の分子量ＭR 、約０．９４ないし０．９７の密度及び１０ｍＰａ・ｓないし１００００００ｍＰａ・ｓの粘度を有する透明で、無色で、中性で、無臭で、疎水性の液体である。このようなオイルは、約１８０℃までの空気中で長期熱安定性を有する。
非常に一般的に使用されるシリコーンオイルは、名称ジメチコーンで知られるポリ（ジメチルシロキサン）である。
【００１８】
本発明において同様に適するものは、例えば、市販の入手可能な製品Ｑ２−７２２４［安定化されたトリメチルシリルアモジメチコーン；製造者：ダウコーニング（Ｄｏｗ  Ｃｏｒｎｉｎｇ）社］、ダウコーニング９２９エマルジョン（ヒドロキシルアミノ変性されたシリコーンを含み、アモジメチコーンとも呼ばれる）、ＳＭ−２０５９［製造者：ゼネラルエレクトリック（Ｇｅｎｅｒａｌ  Ｅｌｅｃｔｒｉｃ）社］、ＳＬＭ−５５０６７［製造者：ワッカー（Ｗａｃｋｅｒ）社］、及び更にアビル（登録商標）−クァット３２７０及び３２７２［ジ第四級ポリジメチルシロキサン、クァタニウム（Ｑｕａｔｅｒｎｉｕｍ）−８０；製造者：ゴールドシュミット（Ｇｏｌｄｓｃｈｍｉｄｔ）社］のような、カチオン性シリコーンオイルである。
【００１９】
シリコーンオイルは一般的に、次式（Ｉ）：
【化１】
2006516665.tif 000002
［式中、
個々のＳｉ（ＣＨ3 ）（Ｙ）−Ｏ−ユニット、Ｓｉ（ＣＨ3 ）2 −Ｏ−ユニット及びＳｉ（ＣＨ3 ）（Ｘ）−Ｏ−ユニットは、ポリシロキサン鎖中でどのような分布をも有し得、
Ｒ1 及びＲ2 はそれぞれ互いに独立して−ＯＨ基、−Ｒ基及び−ＯＲ基（両式中、Ｒは炭素原子数１ないし６のアルキル基又はフェニル環を表わす。）を表わし、
ｍ、ｎ及びｚはそれぞれ互いに独立して整数を表わし、ｍ＋ｎ＋ｚの合計は１０００ないし１５００００Ｄの分子量を与え、
Ｙは式Ｒ3 −Ｏ−（Ｔ）d −（ＣＨ2 ）e −Ｈで表わされる基を表わし、式中、
Ｒ3 は二価の分岐又は非分岐の炭素原子数１ないし６のアルキレン基を表わし、
ｄは数５ないし２５を表わし、
ｅは０又は１を表わし、
Ｔ全体の６０％ないし１００％は−ＣＨ2 ＣＨ2 −Ｏ−基を表わし、そしてＴ全体の０％ないし４０％は−ＣＨ（ＣＨ3 ）−ＣＨ2 −Ｏ−基又は−ＣＨ2 −ＣＨ（ＣＨ3 ）−Ｏ−基を表わし、
Ｘは１個又はそれより多くのアミノ基を含む一価有機基を表わす。］で表わされる直鎖状ポリシロキサンである。
式（Ｉ）中の基Ｘは、好ましくは、一般式（ａ）ないし（ｆ）：
【化２】
2006516665.tif 000003
［式中、
前記式の窒素含有基は、１個又はそれより多くの窒素原子において、１個ないし８個の炭素原子を含むアルキル基により第四級化もされ得、
Ｒは炭素原子数１ないし６のアルキル基又はフェニル基を表わし、
Ｒ’は水素原子又は−ＣＨ3 基を表わし、
ｋは０ないし６を表わし、そして好ましくは１を表わし、
ｔは２ないし８を表わし、そして好ましくは２ないし４を表わし、
ｌは０ないし３を表わし、そして好ましくは０又は１を表わし、
Ｒ”は水素原子、−ＣＯ−ＣＨ3 基、−ＣＯ−（ＣＨ2 ）k −ＯＨ基、−ＣＨ2 −（ＣＨ2 ）k −ＣＨ3 基又はシクロヘキシル基を表わし、
Ａは水素原子又は、１個ないし４個の炭素原子を有するアルキル基を表わし、
Ｑ及びＱ’はそれぞれ二価の、分岐又は非分岐の、１個ないし４個の炭素原子を有するアルキレン基を表わし、
ｐは０又は１を表わし、そして
基Ｚの全てはそれぞれ互いに独立して水素原子、非置換又は１個若しくはそれより多くのヒドロキシル基により置換された炭素原子数１ないし６のアルキル基；シクロヘキシル基又は基ＣＯ−Ｇ（式中、Ｇは非置換又は１個若しくはそれより多くのヒドロキシル基により置換された炭素原子数１ないし６のアルキル基を表わす。）を表わす。］で表わされる基から選択される。
【００２０】
とりわけ好ましいものは、式（Ｉ）［式中、Ｘは式（ｃ）又は（ｄ）で表わされる基、とりわけ式−（ＣＨ2 ）3 −ＮＨ−（ＣＨ）2 −ＮＨ2 で表わされる基又は式−（ＣＨＲa ）3 −ＮＨ2 （式中、基Ｒa の一つはＣＨ3 基を表わし、そして他の二つはそれぞれ水素原子を表わす。）で表わされる基、或いは式−（ＣＨ2 ）3 −ＮＨ2 で表わされる基を表わす。］で表わされるポリオルガノシロキサンである。
【００２１】
別の適するポリオルガノシロキサンは次式（ＩＩ）：
【化３】
2006516665.tif 000004
［式中、
Ｒ4 は−ＯＨ基、−ＯＲ5 基又は−ＣＨ3 基を表わし、
Ｒ5 は−ＣＨ3 基又は−ＣＨ2 ＣＨ3 基を表わし、
Ｒ6 は炭素原子数１ないし２０のアルコキシ基、−ＣＨ3 基、−ＣＨ2 ＣＨＲ7 ＣＨ2 ＮＨＲ8 基又は−ＣＨ2 ＣＨＲ7 ＣＨ2 Ｎ（ＣＯＣＨ3 ）Ｒ8 基、次式：
【化４】
2006516665.tif 000005
で表わされる基を表わし、
Ｒ7 は水素原子又は−ＣＨ3 基を表わし、
Ｒ8 は水素原子、−ＣＨ2 ＣＨ2 ＮＨＲ9 基、−Ｃ（＝Ｏ）−Ｒ10基又は−（ＣＨ2 ）z −ＣＨ3 基を表わし、
ｚは０ないし７を表わし、
Ｒ9 は水素原子又は−Ｃ（＝Ｏ）−Ｒ10基を表わし、
Ｒ10は−ＣＨ3 基、−ＣＨ2 ＣＨ3 基又は−ＣＨ2 ＣＨ2 ＣＨ2 ＯＨ基を表わし、
Ｒ11は水素原子又は−ＣＨ3 基を表わし、そして
Ｘ及びＹの合計は４０ないし４０００である。］で表わされるものであり；
別の適するポリオルガノシロキサンは次式（ＩＩＩ）：
（Ｒ12）v （Ｒ13）w Ｓｉ−Ａ−Ｂ    （ＩＩＩ）
［式中、
Ｒ12は−ＣＨ3 基、−ＣＨ2 ＣＨ3 基又はフェニル基を表わし、
Ｒ13は−Ｏ−Ｓｉ基又は−Ｏ−Ｒ12基を表わし、
ｖ及びｗの合計は３であり、そしてｖは３に等しくなく、
Ａは−ＣＨ2 ＣＨ（Ｒ14）（ＣＨ2 ）k 基を表わし、
Ｂは−ＮＲ15（（ＣＨ2 ）l −ＮＨ）m Ｒ15基又は次式：
【化５】
2006516665.tif 000006
で表わされる基を表わし、
ｎは０又は１を表わし、
Ｕ1 はｎが０を表わすとき窒素原子を表わし、そしてＵ1 はｎが１を表わすとき＝ＣＨ
−基を表わし、
ｌは２ないし８を表わし、
ｋは０ないし６を表わし、
ｍは０ないし３を表わし、
Ｒ14は水素原子又は−ＣＨ3 基を表わし、
Ｒ15は水素原子、−Ｃ（＝Ｏ）−Ｒ19基、−ＣＨ2 （ＣＨ2 ）p ＣＨ3 基又は次式：
【化６】
2006516665.tif 000007
で表わされる基を表わし、
ｐは０ないし６を表わし、
Ｒ16は−ＮＨ−基、−Ｏ−基、−ＯＣＨ2 ＣＨ（ＯＨ）ＣＨ2 Ｎ（ブチル）−基又は−ＯＯＣＮ（ブチル）−基を表わし、
Ｒ17は水素原子、直鎖状又は分岐鎖状の炭素原子数１ないし４のアルキル基、フェニル基又は−ＣＨ2 ＣＨ（ＯＨ）ＣＨ3 基を表わし、
Ｒ18は水素原子又は直鎖状若しくは分岐鎖状の炭素原子数１ないし４のアルキル基を表わし、
Ｒ19は−ＣＨ3 基、−ＣＨ2 ＣＨ3 基又は−（ＣＨ2 ）q ＯＨ基を表わし、
ｑは１ないし６を表わし、
Ｕ2 は窒素原子又は＝ＣＨ−基を表わす。］で表わされるものであり；
別の適するポリオルガノシロキサンは次式（ＩＶ）：
【化７】
2006516665.tif 000008
［式中、
Ｒ6 は上記において定義されたものと同じ意味を表わし、
Ｒ20は−ＯＨ基、−ＯＲ21基又は−ＣＨ3 基を表わし、
Ｒ21は−ＣＨ3 基又は−ＣＨ2 ＣＨ3 基を表わし、
Ｒ22はＲ23−（ＥＯ）m −（ＰＯ）n −Ｒ24を表わし、
ｍは３ないし２５を表わし、
ｎは０ないし１０を表わし、
Ｒ23は直接結合又は−ＣＨ2 ＣＨ（Ｒ25）（ＣＨ2 ）p Ｒ26基を表わし、
ｐは１ないし４を表わし、
Ｒ24は水素原子、Ｒ27、−ＣＨ2 ＣＨ（Ｒ25）ＮＨ2 基又は−ＣＨ（Ｒ25）ＣＨ2 ＮＨ2 基を表わし、
Ｒ25は水素原子又は−ＣＨ3 基を表わし、
Ｒ26は−Ｏ−基又は−ＮＨ−基を表わし、
Ｒ27は直鎖状若しくは分岐鎖状の炭素原子数１ないし８のアルキル基又は−Ｓｉ（Ｒ28）3 を表わし、
Ｒ28は直鎖状若しくは分岐鎖状の炭素原子数１ないし８のアルキル基、−ＯＣＨ3 基又は−ＯＣＨ2 ＣＨ3 基を表わし、
ＥＯは−ＣＨ2 ＣＨ2 Ｏ基を表わし、
ＰＯは−ＣＨ（ＣＨ3 ）ＣＨ2 Ｏ基又は−ＣＨ2 ＣＨ（ＣＨ3 ）Ｏ基を表わし、そして
Ｘ1 、Ｙ1 及びＳの合計は２０ないし１５００である。］で表わされるものであり；
別の適するポリオルガノシロキサンは次式（Ｖ）：
【化８】
2006516665.tif 000009
［式中、
Ｒ29は直鎖状若しくは分岐鎖状の炭素原子数１ないし２０のアルコキシ基又は−ＣＨ2 ＣＨ（Ｒ7 ）Ｒαを表わし、
Ｒ7 上記において定義されたものと同じ意味を表わし、
Ｒαは直鎖状又は分岐鎖状の炭素原子数１ないし２０のアルキル基を表わし、
Ｒ30はアリール基、直鎖状若しくは分岐鎖状の炭素原子数１ないし１０のアルキル基により置換されたアリール基、又は、アリール基により置換された直鎖状若しくは分岐鎖状の炭素原子数１ないし２０のアルキル基を表わし、
Ｒ31は次式：
【化９】
2006516665.tif 000010
で表わされる基を表わし、
Ｘ2 、Ｘ3 、Ｘ4 及びＹ2 の合計は２０ないし１５００であり、ここで、Ｘ3 、Ｘ4 及びＹ2 はそれぞれ互いに独立して０を表わし得る。］で表わされるもの、又はその混合物である。
【００２２】
別の適するポリオルガノシロキサンは次式（ＶＩ）：
【化１０】
2006516665.tif 000011
［式中、
ｇは次式：
【化１１】
2006516665.tif 000012
で表わされる基を表わし、そして
Ｇは炭素原子数１ないし２０のアルキル基を表わす。］で表わされるものである。
【００２３】
別の適するポリオルガノシロキサンは、名称マグナソフト（Ｍａｇｎａｓｏｆｔ）ＨＳＳＤ［クロンプトン  コーポレーション（Ｃｒｏｍｐｔｏｎ  Ｃｏｒｐｏｒａｔｉｏｎ）の登録商標］として知られるものである。
別の適するポリオルガノシロキサンは次式（ＶＩＩ）：
【化１２】
2006516665.tif 000013
［式中、
Ｒ”は−ＣＨ2 ＣＨ2 ＣＨ2 Ｎ（Ｒ”’）2 基を表わし、
Ｒ”’は直鎖状又は分岐鎖状の炭素原子数１ないし４のアルキル基を表わし、
Ｒ’は−（ＣＨ2 ） X" −（ＥＯ）m −（ＰＯ）n −Ｒ””基を表わし、
ｍは３ないし２５を表わし、
ｎは０ないし１０を表わし、
Ｘ”は０ないし４を表わし、
Ｒ””は水素原子又は直鎖状若しくは分岐鎖状の炭素原子数１ないし４のアルキル基を表わし、
ＥＯは−ＣＨ2 ＣＨ2 Ｏ−基を表わし、
ＰＯは−ＣＨ（ＣＨ3 ）ＣＨ2 Ｏ−基又は−ＣＨ2 ＣＨ（ＣＨ3 ）Ｏ−基を表わし、そして
Ｘ’、Ｙ’及びＳ’の合計は４０ないし３００である。］で表わされるものである。
【００２４】
同様に特に好ましい非水性液体（又は、そのエマルジョン）は、脂肪酸アルカノールアミドである。
【００２５】
適する脂肪酸アルカノールアミドは、例えば、次式（ＶＩＩＩ）：
【化１３】
2006516665.tif 000014
［式中、
Ｒ32は１０個ないし２４個の炭素原子を含む飽和又は不飽和の炭化水素基を表わし、
Ｒ33は水素原子又は式−ＣＨ2 ＯＨ、−（ＣＨ2 ＣＨ2 Ｏ）c Ｈ若しくは次式：
【化１４】
2006516665.tif 000015
で表わされる基を表わし、
前記式中、ｃは１ないし１０の数を表わし、そしてＲ35はＲ32に対して上記で定義されたものと同じ意味を表わし、そして
Ｒ34は次式：
【化１５】
2006516665.tif 000016
で表わされる基を表わし、そして
ｃは上記において定義されたものと同じ意味を表わし、
Ｒ36は水素原子又は次式：
【化１６】
2006516665.tif 000017
（式中、Ｒ35は上記において定義されたものと同じ意味を表わす。）で表わされる基を表わし、
Ｒ37、Ｒ37’及びＲ37”は同一又は異なる意味を有し、そしてＲ33に対して上記で定義されたものと同じ意味を表わし、そして
Ｒ38、Ｒ38’及びＲ38”は同一又は異なる意味を有し、そして次式：
【化１７】
2006516665.tif 000018
（式中、Ｒ35は上記において定義されたものと同じ意味を表わす。）で表わされる基を表わす。］で表わされるものである。
Ｒ32及びＲ35は好ましくは、１４個ないし２４個の炭素原子を有する飽和又は不飽和の炭化水素基を表わす。飽和炭化水素基が好ましい。
【００２６】
Ｒ33は好ましくは、水素原子、−ＣＨ2 ＯＨ基又は次式：
【化１８】
2006516665.tif 000019
で表わされる基を表わす。
Ｒ34は好ましくは、次式：
【化１９】
2006516665.tif 000020
（式中、Ｒ36、Ｒ37、Ｒ37’、Ｒ37”、Ｒ38、Ｒ38’及びＲ38”は上記の定義及び好ましい意味を表わす。）で表わされる基を表わす。
【００２７】
ｃは好ましくは、１ないし５の数を表わす。
【００２８】
好ましいものは、次式：
【化２０】
2006516665.tif 000021
（式中、Ｒ32、Ｒ33、Ｒ37、Ｒ37’、Ｒ37”、Ｒ38、Ｒ38’及びＲ38”は上記において定義されたものと同じ意味を表わす。）で表わされる脂肪酸アルカノールアミドである。
【００２９】
好ましいものは、式（ＶＩＩＩａ）（式中、Ｒ33、Ｒ37、Ｒ37’及びＲ37”は水素原子又は−ＣＨ2 ＯＨ基を表わす。）で表わされる脂肪酸アルカノールアミドである。
【００３０】
好ましいものは、更に、次式（ＶＩＩＩｂ）：
【化２１】
2006516665.tif 000022
（式中、Ｒ32、Ｒ33、Ｒ36及びｃは上記において定義されたものと同じ意味を表わす。）で表わされる脂肪酸アルカノールアミドである。
【００３１】
好ましいものは式（ＶＩＩＩｂ）（式中、Ｒ33及びＲ36は水素原子又は次式：
【化２２】
2006516665.tif 000023
で表わされる基を表わす。）で表わされる脂肪酸アルカノールアミドである。
【００３２】
Ｒ33好ましくは水素原子を表わす。
【００３３】
同様に特に好ましい非水性液体（又は、エマルジョン）は、ポリエチレン及びポリエチレンワックスである。
【００３４】
分散されたポリエチレン（ポリエチレンワックス）は知られており、そして先行技術（例えば、ドイツ国特許第２３５９９６６号明細書、ドイツ国特許出願公開第２８２４７１６号明細書及びドイツ国特許出願公開第１９２５９９３号明細書を参照）に詳細に記載されている。分散されたポリエチレンは、通常、官能性基、とりわけ−ＣＯＯＨ基を有し、該官能性基の幾らかはエステル化され得るところのポリエチレンである。このような官能性基は、ポリエチレンの酸化により導入される。しかしながら、官能性は、エチレンを、例えばアクリル酸と共重合させることによっても得られる。分散されたポリエチレンは、２０℃において、少なくとも０．９ｇ／ｃｍ3 の密度、少なくとも５の酸価及び少なくとも１０の鹸化価を有する。滴点は好ましくは、１００℃ないし１５０℃の範囲内である。２０℃において、０．９５ｇ／ｃｍ3 ないし１．０５ｇ／ｃｍ3 の密度、１０ないし６０の酸価及び１５ないし８０の鹸化価を有する分散されたポリエチレンが特に好ましい。このような材料は、一般的に、フレーク、ペレットなどの形態で、市販品を入手可能である。このような分散されたポリエチレンの混合物を使用することも可能である。
【００３５】
ポリエチレンワックスは通常、分散液の形態で使用される。このような分散液を製造するために種々のエマルジョンが適しており、該製造は、先行技術に詳細に記載されている。
【００３６】
同様に特に好ましい非水性液体（又は、エマルジョン）は、ポリウレタンである。
【００３７】
適するポリウレタンは、例えば、国際特許出願公開第０２／８１６１１Ａ１号パンフレットに記載されている。このようなポリウレタンは、
ａ）ジイソシアネートと、
ｂ）少なくとも一つのヒドロキシル基を含むポリエーテル、
ｃ）所望により、２個ないし１２個の炭素原子を含む脂肪族基から誘導されたジオール、及び
ｄ）水溶性付与基を導入する薬剤、
との反応により得られ得る。
【００３８】
成分ｂ）の例は、ポリオキシエチレングリコール、ポリオキシエチレンプロピレングリコール及び、ポリオキシエチレンテトラメチレングリコールを包含する。別の例は、エチレンオキシド単独の、又は、エチレンオキシドと１種又はそれより多くの他のアルキレンオキシド、例えばプロピレンオキシド又はブチレンオキシドとの、低分子量のポリアルキレンポリアミン、例えばエチレンジアミン、ジエチレントリアミン及びトリエチレンテトラミン又はヒドラジンへの付加により得られた付加生成物を包含し得る。成分ｂ）は好ましくは、６００ないし１６０００、とりわけ６００ないし３０００の分子量を有する。
【００３９】
成分ｂ）は好ましくは、次式（ｇ）：
Ｒ40−（Ｏ−Ｘ1 ）n −ＯＨ    （ｇ）
［式中、
Ｒ40は水素原子又は炭素原子数１ないし１２のアルキル基を表わし、
Ｘ1 は炭素原子数２ないし６のアルキレン基を表わし、そして
ｎは２ないし１００の数を表わす。］で表わされるポリエーテル、或いは、次式（ｈ）：
【化２３】
2006516665.tif 000024
［式中、
Ｘ2 及びＸ3 はＸ1 に対して上記において定義されたものと同じ意味を有し、
Ｙ1 は直接結合又は炭素原子数２ないし６のアルキレン基を表わし、そして
ｐ及びｑは２ないし１００の数を表わす。］で表わされるポリエーテルである。
式（ｈ）において、Ｘ2 基及びＸ3 基は、両方とも同一であっても又は互いに独立して異なっていてもよい。同様の事は、添え字ｐ及びｑについても言える。
【００４０】
炭素原子数１ないし１２のアルキル基としてのＲ40は、直鎖状又は分岐鎖状アルキル基、例えばメチル基、エチル基、ｎ−プロピル基、イソプロピル基、ｎ−ブチル基、第二ブチル基、第三ブチル基、ペンチル基、イソペンチル基、第三ペンチル基、ヘキシル基、ヘプチル基、オクチル基、イソオクチル基、ノニル基、デシル基等である。炭素原子数１ないし６のアルキル基が好ましく、そして炭素原子数１ないし４のアルキル基がとりわけ好ましい。
【００４１】
Ｒ40は好ましくは、上記の定義及び好ましい意味が適用される炭素原子数１ないし１２のアルキル基を表わす。
【００４２】
Ｘ1 は好ましくは、炭素原子数２ないし４のアルキレン基、例えば、式−ＣＨ2 ＣＨ2 −、−ＣＨ2 ＣＨ2 ＣＨ2 −、−ＣＨ（ＣＨ3 ）ＣＨ2 −及び−ＣＨ2 ＣＨ（ＣＨ3 ）−で表わされる基、及び直鎖状又は分岐鎖状ブチレン基を表わす。対応する分岐鎖状アルキレン基が好ましい。ｎについては、５ないし５０、とりわけ５ないし３０の数が好ましい。ｎは特に好ましくは、１０ないし２５の数を表わす。
【００４３】
より特別に好ましいものは、式（ｇ）（式中、Ｒ40は炭素原子数１ないし６のアルキル基を表わし、Ｘ1 は炭素原子数２ないし４のアルキレン基を表わし、そしてｎは５ないし３０の数を表わす。）で表わされる成分ｂ）である。                                
Ｘ2 及びＸ3 は好ましくは、炭素原子数２ないし４のアルキレン基、とりわけ炭素原子数２又は３のアルキレン基、例えば、式−ＣＨ2 ＣＨ2 −及び−ＣＨ2 ＣＨ2 ＣＨ2 −で表わされる基を表わす。Ｘ2 は好ましくは、式−ＣＨ2 ＣＨ2 ＣＨ2 −で表わされる基を表わす。Ｘ3 は好ましくは、式−ＣＨ2 ＣＨ2 −で表わされる基を表わす。
アルキレン基を意味するＹ1 は好ましくは、炭素原子数２ないし４のアルキレン基、とりわけ式−ＣＨ2 ＣＨ2 −で表わされる基である。
【００４４】
ｐ及びｑは好ましくは、２ないし３０、とりわけ２ないし１０の数を表わす。２ないし６の数はより特別に好ましい。
【００４５】
より特別に好ましいものは、式（ｈ）（式中、Ｘ2 及びＸ3 は炭素原子数２ないし４のアルキレン基を表わし、Ｙ1 は直接結合又は炭素原子数２ないし４のアルキレン基を表わし、そしてｐ及びｑは２ないし３０の数を表わす。）で表わされる成分ｂ）である。
【００４６】
成分ｃ）は所望により、連鎖延長剤として使用され得る。成分ｃ）は、２個ないし１２個の炭素原子を含む脂肪族基から誘導されたジオールであり、そして直鎖状であっても、又は、分岐鎖状であってもよい。炭素原子数２ないし８のアルカンジオール、とりわけ炭素原子数２ないし６のアルカンジオールが好ましい。炭素原子数２ないし４のアルカンジオールは、より特別に好ましい。成分ｃ）の例は下記のものである：エチレングリコール、１，３−プロピレングリコール、１，２−プロピレングリコール、１，５−ペンタンジオール、ネオペンチルグリコール、１，６−ヘキサンジオール、１，４−ブタンジオール及び、とりわけ、１，３−ブタンジオール。
【００４７】
成分ｃ）は好ましくは、式（ｇ）で表わされる成分ｂ）と組み合わせて使用されるのに対して、式（ｈ）で表わされる成分ｂ）については、成分ｃ）の付加的な使用は、通常、必要ない。
【００４８】
成分ｄ）により導入される水溶性付与基の例は硫酸基であり、そして好ましくは亜硫酸基である。水溶性付与基を導入する薬剤は、例えば、対応するアルカリ金属塩又はアルカリ金属水素塩、とりわけ、対応するナトリウム塩を包含する。アルカリ金属亜硫酸水素塩はとりわけ好ましい。このような試薬の例はＮａＨＳＯ3 である。
【００４９】
同様に好ましい非水性液体（又は、そのエマルジョン）は、脂肪酸アミドとポリエチレンワックスとの混合物である。このような混合物は、とりわけ、国際特許出願公開第０２／０７９３６４号パンフレットに記載されている。
【００５０】
このような混合物は、
（ａ）少なくとも１種の次式（ｉ）：
【化２４】
2006516665.tif 000025
［式中、
Ｒ41及びＲ42はそれぞれ互いに独立して、水素原子又は炭素原子数１ないし４のアルキル基を表わし、
Ｒ43は炭素原子数８ないし２２のアルキル基を表わし、
Ｒ44は水素原子又は式Ｒ45−Ｃ（Ｏ）−［式中、Ｒ45はＲ43に対して上記において定義されたものと同じ意味を有する。］で表わされる基を表わし、そして
Ｘは、−Ｏ−基又は−ＮＨ−基により中断され得るか又は中断され得ない、炭素原子数２ないし１２のアルキレン基を表わす。］で表わされる脂肪酸アミド、又はその塩、並びに
（ｂ）少なくとも１種のポリエチレンワックス
からなる。
【００５１】
とりわけ興味のあるものは、式（ｉ）［式中、
Ｒ41及びＲ42は水素原子を表わし、
Ｒ44は式Ｒ45−Ｃ（Ｏ）−で表わされる基を表わし、
Ｒ43及びＲ45はそれぞれ互いに独立して、炭素原子数１４ないし２０のアルキル基、とりわけ、炭素原子数１６ないし１８のアルキル基を表わし、そして
Ｘは式−ＣＨ2 ＣＨ2 −ＮＨ−ＣＨ2 ＣＨ2 −で表わされる基を表わす。］で表わされる化合物である。
【００５２】
成分ｂ）として使用されるポリエチレンワックスは一般的に、官能性基、とりわけ、カルボキシル基を有し該官能性基の幾らかはエステル化もされ得るところのものである。このような官能性基は、例えば、ポリエチレンの酸化により導入される。しかしながら、ポリエチレンと、例えば、アクリル酸との共重合により官能性を得ることも可能である。前記ポリエチレンワックスは好ましくは、２０℃において、０．９ｇ／ｃｍ3 の密度、少なくとも５の酸価及び少なくとも１０の鹸化価を有する。とりわけ好ましいものは、２０℃において、０．９５ｇ／ｃｍ3 ないし１．０５ｇ／ｃｍ3 の密度、１０ないし６０の酸価及び１５ないし８０の鹸化価を有するポリエチレンワックスである。
【００５３】
対応するポリエチレンワックス及びその製造方法は、例えば、ドイツ国特許第２３５９９６６号明細書、ドイツ国特許出願公開第２８２４７１６号明細書及びドイツ国特許出願公開第１９２５９９３号明細書から知られている。
【００５４】
本発明のとりわけ好ましい実施態様は、
固体組成物少なくとも１種を含むところの洗浄剤配合物及び／又は布地柔軟剤配合物であって、
該固体組成物は、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、
（ｉｉ）前記固体組成物の全質量に基づいて、ポリアルキレン、シリコーンオイル、ポリジメチルシロキサン、脂肪酸アルカノールアミド及び／又はポリウレタン、或いはそれらの混合物５質量％ないし８０質量％、並びに
（ｉｉｉ）前記固体組成物の全質量に基づいて、水０質量％ないし１０質量％
からなる配合物に関するものである。
【００５５】
本発明のより特別に好ましい実施態様は、
固体組成物少なくとも１種を含むところの洗浄剤配合物及び／又は布地柔軟剤配合物であって、
該固体組成物は、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、
（ｉｉ）前記固体組成物の全質量に基づいて、ポリアルキレン、シリコーンオイル、ポリジメチルシロキサン、脂肪酸アルカノールアミド及び／又はポリウレタン、或いはそれらの混合物２０質量％ないし８０質量％、特に３０質量％ないし８０質量％、より特別に３０質量％ないし７５質量％、並びに
（ｉｉｉ）前記固体組成物の全質量に基づいて、水０質量％ないし１０質量％
からなる配合物に関するものである。
【００５６】
本発明の固体組成物は、洗浄剤配合物及び／又は布地柔軟剤配合物において、そのまま、即ち、粉末の形態で使用され得る。
【００５７】
しかしながら、前記固体組成物は、他の慣用の別の加工形態を形成するために、例えば、積層顆粒、フレーク、コンパクト又は押出物を形成するために、加工もされ得、その後
、洗浄剤配合物及び／又は布地柔軟剤配合物に添加される。
【００５８】
文献及び慣習から知られているどのような方法も、前記顆粒化のために使用され得る。原則的に、連続加工法及び非連続加工法の双方が適している。
【００５９】
積層凝集法のうち、とりわけ好ましいものは、例えば、プラウシェアミキサー又は顆粒化ミキサー中での混合凝集、及び更に、噴霧乾燥顆粒化又は流動床顆粒化である。
【００６０】
顆粒は、別の成分を更に含み得る。前記成分の性質及び量は、目的とする用途に依存する。前記顆粒は、更に、カプセル化され得る。
【００６１】
ポリアルキレンエマルジョン、シリコーンオイル、ポリジメチルシロキサン及び／又は脂肪酸アルカノールアミドを含む固体組成物は、布地柔軟剤において又は布地柔軟剤物質を含む洗浄剤組成物において、そして更に、テキスタイル処理のための特別な製品において、とりわけ使用される。本発明のポリウレタン含有組成物は、弾性／クリース性を改良するための、組成物中でとりわけ使用される。
【００６２】
固体組成物であって、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、並びに
（ｉｉ）前記固体組成物の全質量に基づいて、１種又はそれより多くの液体５質量％ないし８０質量％
からなる固体組成物少なくとも１種の、洗浄剤配合物及び布地柔軟剤配合物における使用にも関するものである。
【００６３】
前記固体組成物は、高い液体含有率にも係わらず微粉状である。
【００６４】
前記液体は、実質的に、前記固体組成物中に均一に分散されている。
キャリア材料、並びに、非水性液体及びそのエマルジョンに関して、上記の定義及び好ましい意味の全てを適用する。
【００６５】
固体の微粉状組成物であって、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、
（ｉｉ）前記固体組成物の全質量に基づいて、ポリアルキレン、シリコーンオイル、ポリジメチルシロキサン、脂肪酸アルカノールアミド及び／又はポリウレタン、或いはそれらの混合物２０質量％ないし８０質量％、特に３０質量％ないし８０質量％、より特別に３０質量％ないし７５質量％、並びに
（ｉｉｉ）前記固体組成物の全質量に基づいて、水０質量％ないし１０質量％
からなる固体の微粉状組成物少なくとも１種の、洗浄剤配合物及び布地柔軟剤配合物における使用に関するものである。
【００６６】
本発明は、顆粒の形態で存在する上記のような固体の微粉状組成物の使用にも関するものである。
慣用の洗浄剤配合物及び布地柔軟剤配合物において使用することに加えて、前記固体組成物はまた、洗浄剤添加物、例えば前処理組成物及び後処理組成物において、汚染除去塩
において、洗浄力増強剤において、漂白剤において、又は、紫外線保護向上剤において、並びに、布地柔軟剤を含む洗浄剤組成物において、使用される。
【００６７】
本発明の洗浄剤配合物は、固体、液体、ゲル様又はペースト様形態、例えば、英国特許出願公開第２１５８４５４号明細書に記載されたように、非イオン性界面活性剤中のビルダー物質の懸濁液に基づき得る水を５質量％まで、好ましくは０ないし１質量％含む液体非水性洗浄剤組成物の形態で存在し得る。
本発明の洗浄剤配合物は、粉末、（スーパー）コンパクト粉末の形態で、単層又は多層タブレット（タブ）の形態で、洗浄剤バー、洗浄剤ブロック、洗浄剤シート、洗浄剤ペースト又は洗浄剤ゲルの形態で、或いは、カプセル中又はポーチ（サック）中で使用される粉末、ペースト、ゲル又は液体の形態で、存在し得る。
【００６８】
好ましくは、前記洗浄剤は非水性配合物、粉末、タブ又は顆粒の形態で存在する。
【００６９】
従って、本発明は、洗浄剤配合物であって、
Ｉ）前記洗浄剤配合物の全質量に基づいて、少なくとも１種のアニオン性界面活性剤Ａ）及び／又は少なくとも１種の非イオン性界面活性剤Ｂ）５％ないし９０％、
ＩＩ）前記洗浄剤配合物の全質量に基づいて、少なくとも１種のビルダー物質Ｃ）５％ないし７０％、
ＩＩＩ）前記洗浄剤配合物の全質量に基づいて、少なくとも１種の過酸化物Ｄ）及び、所望により、少なくとも１種の活性化剤、０％ないし３０％、
ＩＶ）前記洗浄剤配合物の全質量に基づいて、
固体組成物であって、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、
（ｉｉ）前記固体組成物の全質量に基づいて、１種又はそれより多くの液体５質量％ないし８０質量％、並びに
（ｉｉｉ）前記固体組成物の全質量に基づいて、水０質量％ないし１０質量％
からなる少なくとも１種の固体組成物Ｅ）０．１％ないし７０％、
Ｖ）前記洗浄剤配合物の全質量に基づいて、少なくとも１種の別の添加剤Ｆ）０％ないし６０％、並びに
ＶＩ）前記洗浄剤配合物の全質量に基づいて、水Ｇ）０％ないし１２％
を含む配合物にも関するものである。
【００７０】
上記の好ましい意味の全ては、固体組成物Ｅ）に対して適用される。
【００７１】
従って、本発明は、とりわけ、洗浄剤配合物であって、
Ｉ）前記洗浄剤配合物の全質量に基づいて、少なくとも１種のアニオン性界面活性剤Ａ）及び／又は少なくとも１種の非イオン性界面活性剤Ｂ）５％ないし７０％、
ＩＩ）前記洗浄剤配合物の全質量に基づいて、少なくとも１種のビルダー物質Ｃ）５％ないし５０、好ましくは５％ないし４０％、
ＩＩＩ）前記洗浄剤配合物の全質量に基づいて、少なくとも１種の過酸化物Ｄ）及び、所望により、少なくとも１種の活性化剤、０％ないし１２％、
ＩＶ）前記洗浄剤配合物の全質量に基づいて、
固体組成物であって、
（ｉ）木粉繊維、製紙繊維；活性炭；天然繊維及び布地；セルロース材料；多孔性吸着剤；重合、ポリ縮合により又は、ポリ付加反応により或いは、このような反応の組み合わせにより形成された、架橋されたポリアクリル酸又は、高分散性の固体ポリマー化合物、か
らなる群からのキャリア材料少なくとも１種、
（ｉｉ）前記固体組成物の全質量に基づいて、ポリアルキレン、シリコーンオイル、ポリジメチルシロキサン、脂肪酸アルカノールアミド及び／又はポリウレタン、或いはそれらの混合物５質量％ないし８０質量％、並びに
（ｉｉｉ）前記固体組成物の全質量に基づいて、水０質量％ないし１０質量％
からなる少なくとも１種の固体組成物Ｅ）０．２％ないし５０％、好ましくは０．３％ないし４０％、
Ｖ）前記洗浄剤配合物の全質量に基づいて、少なくとも１種の別の添加剤Ｆ）０％ないし６０％、並びに
ＶＩ）前記洗浄剤配合物の全質量に基づいて、水Ｇ）０％ないし１２％
を含む配合物にも関するものである。
【００７２】
配合物における成分Ｉ）ないし成分ＶＩ）の質量％の合計は常に１００％である。
上記の好ましい意味の全ては、固体組成物Ｅ）に対して適用される。
【００７３】
アニオン性界面活性剤Ａ）は、例えば、スルフェート、スルホネート又はカルボキシレート界面活性剤、或いはこれらの界面活性剤の混合物であり得る。好ましいスルフェートは、アルキル基中に１２個ないし２２個の炭素原子を有するもの、或いは、アルキル基が１０個ないし２０個の炭素原子を含み、そして先端基が平均２個又は３個のエトキシユニットを含むアルキルエトキシスルフェートである。好ましいスルホネートは、例えば、アルキル基中に９個ないし１５個の炭素原子を有するアルキルベンゼンスルホネート及び／又は当該アルキル基中に６個ないし１６個の炭素原子を有するナフタレンベンゼンスルホネートである。アニオン性界面活性剤中のカチオンは、好ましくは、アルカリ金属カチオン、とりわけナトリウムである。好ましいカルボキシレートは、式Ｒ46−ＣＯ−Ｎ（Ｒ47）−ＣＨ2 ＣＯＯＭ1 ［式中、Ｒ46はアルキル又はアルケニル基中に８個ないし１８個の炭素原子を有するアルキル基又はアルケニル基を表わし、Ｒ47は炭素原子数１ないし４のアルキル基を表わし、そしてＭ1 はアルカリ金属を表わす。］で表わされるサルコシネートである。
【００７４】
非イオン性界面活性剤Ｂ）は、例えば、エチレンオキシド３モルないし８モルと、９個ないし１５個の炭素原子を含む第一アルコール１モルとの縮合生成物であり得る。
【００７５】
ビルダー物質Ｃ）として、例えば、燐酸アルカリ金属塩、とりわけ、トリポリ燐酸塩、炭酸塩又は炭酸水素塩、とりわけ、そのナトリウム塩、珪酸塩、珪酸アルミニウム、ポリカルボン酸塩、ポリカルボン酸、有機ホスホネート、アミノアルキレンポリ（アルキレンホスホン酸塩）及びこれらの化合物の混合物が考慮される。とりわけ適する珪酸塩は、式ＮａＨＳｉt Ｏ2t+1・ｐＨ2 Ｏ又はＮａ2 Ｓｉt Ｏ2t+1・ｐＨ2 Ｏ（両式中、ｔは１．９ないし４の数を表わし、そしてｐは０ないし２０の数を表わす。）で表わされる結晶性層状珪酸塩のナトリウム塩である。珪酸アルミニウムの中で、好ましいものは、名称ゼオライトＡ、Ｂ、Ｘ及びＨＳの下に市販品を入手可能なもの及び更に、これらの成分の２種又はそれより多くの混合物である。
ポリカルボン酸塩の中で、好ましいものは、ポリヒドロキシカルボン酸塩、とりわけ、クエン酸塩、及びアクリル酸塩、及び更に、無水マレイン酸とのそのコポリマーである。好ましいポリカルボン酸は、ラセミ形態又はエナンチオマー様の純粋なＳ、Ｓ形態のニトリロトリ酢酸、エチレンジアミン四酢酸及びエチレンジアミン二コハク酸塩である。とりわけ適するホスホン酸塩及びアミノアルキレンポリ（アルキレンホスホン酸塩）は、１−ヒドロキシエタン−１，１−ジホスホン酸、ニトリロトリス（メチレンホスホン酸）、エチレンジアミンテトラメチレンホスホン酸及びジエチレントリアミンペンタメチレンホスホン酸のアルカリ金属塩である。
【００７６】
過酸化物成分Ｄ）として、例えば、テキスタイル材料を慣用の洗浄温度、例えば１０℃ないし９５℃で漂白する、文献において知られており且つ市販品を入手可能な、有機及び無機過酸化物が考慮される。有機過酸化物は、例えば、モノ−又はポリ−過酸化物、とりわけ、有機過酸又はその塩、例えばフタルイミドペルオキシカプロン酸、過安息香酸、ジペルオキシドデカン二酸、ジペルオキシノナン二酸、ジペルオキシデカン二酸、ジペルオキシフタル酸又はその塩である。しかしながら、好ましくは、無機過酸化物、例えば過硫酸塩、過硼酸、過炭酸塩及び／又は過珪酸塩が使用される。無機過酸化物及び／又は有機過酸化物の混合物も使用され得ることが理解される。前記過酸化物は種々の結晶性形態で存在し得、そして異なる水含有率を有し、そしてそれらはまた、その貯蔵安定性を向上させるために、他の無機又は有機化合物と一緒に使用され得る。過酸化物は、好ましくは、例えばスクリュー計量システム及び／又は流動床ミキサーを使用して各成分と混合することにより、洗浄剤に添加される。
【００７７】
洗浄剤配合物は、同様に、例えば、ビス−トリアジニルアミノ−スチルベンジスルホン酸、ビス−トリアゾリル−スチルベンジスルホン酸、ビス−スチリル−ビフェニル及びビス−ベンゾフラニルビフェニル、ビス−ベンズオキサリル誘導体、ビス−ベンズイミダゾイル誘導体、クマリン誘導体又はピラゾリン誘導体の類からの１種又はそれより多くの蛍光増白剤を含み得る。
洗浄剤配合物は、汚れ懸濁剤、例えばカルボキシメチルセルロースナトリウム；ｐＨ調整剤、例えばアルカリ金属又はアルカリ土類金属珪酸塩；泡調節剤、例えば石鹸；噴霧乾燥性及び顆粒化性を調節するための塩、例えば硫酸ナトリウム；芳香料；及び所望により更に、帯電防止剤及び布地柔軟剤；酵素、例えばアミラーゼ；漂白剤；顔料；及び／又は調色剤をも含み得る。前記構成成分は、使用される漂白剤に対して安定でなければならないことが理解される。
加えて、前記洗浄剤配合物は、テキスタイルの洗浄の間、洗浄条件下で布地から放出された、洗浄リカー中の染料により引き起こされる染色を妨げるポリマーを含み得る。
【００７８】
加えて、本発明の洗浄剤配合物は、いわゆる過硼酸活性化剤、例えばＴＡＥＤ又はＴＡＧＵをも含み得る。ＴＡＥＤが好ましく、該ＴＡＥＤは好ましくは、前記洗浄剤配合物の全質量に基づいて、０．０５ないし５質量％、とりわけ０．２ないし１．７質量％の量使用される。
【００７９】
全洗浄手順の間に、洗浄リカーがｐＨ値約６．５〜１１、好ましくは７．５〜１１を有する洗浄剤が通常、製剤化される。
洗浄手順におけるリカー分配比は通常、１：４ないし１：４０、好ましくは１：４ないし１：１５、より好ましくは１：４ないし１：１０、とりわけ好ましくは１：５ないし１：９である。
【００８０】
洗浄手順は通常、洗濯機で行われる。
例えば、以下の種々のタイプの洗濯機が存在する。
−垂直回転軸を持つ上面投入洗濯機；通常、容量４５ないし８３リットルを有するこれらの洗濯機は、温度１０〜５０℃及び洗浄サイクル約１０〜６０分の洗浄工程のために使用される。このようなタイプの洗濯機はしばしば、米国において使用される。
−水平回転軸を持つ前面投入洗濯機；通常、容量８ないし１５リットルを有するこれらの洗濯機は、温度３０〜９５℃及び洗浄サイクル約１０〜６０分の洗浄工程のために使用される。このようなタイプの洗濯機はしばしば、欧州において使用される。
−垂直回転軸を持つ上面投入洗濯機；通常、容量２６ないし５２リットルを有するこれらの洗濯機は、温度５〜２５℃及び洗浄サイクル約８〜１５分の洗浄工程のために使用される。このようなタイプの洗濯機はしばしば、日本において使用される。
【００８１】
本発明は、上記において定義された固体組成物を含む布地柔軟剤配合物にも関するものである。
布地柔軟剤、とりわけ、本発明の布地柔軟剤配合物において使用される炭化水素布地柔軟剤は、とりわけ、下記の化合物類から選択される。
（ｉ）カチオン性第四級アンモニウム塩。このようなカチオン性第四級アンモニウム塩の対イオンは、ハロゲンイオン、例えば、塩素イオン又は臭素イオン、ジメチル硫酸イオン又は、文献から良く知られた他のイオンである。好ましくは、前記対イオンはジメチル硫酸イオン又は何れかのアルキル硫酸イオン又はハロゲンイオンであり、乾燥機に添加する本発明の製品に対しては、ジメチル硫酸イオンが通常好ましい。
【００８２】
カチオン性第四級アンモニウム塩の例は以下のものを包含するが、これらに限定されない。
（１）炭素原子数８ないし３０の、好ましくは炭素原子数１２ないし２２のアルキル又は−アルケニル鎖少なくとも二つを含むアクリル酸第四級アンモニウム塩、例えば、ジ獣脂ジメチルアンモニウムジメチルスルフェート、ジ（水素化獣脂）ジメチルアンモニウムジメチルスルフェート、ジ（水素化獣脂）ジメチルアンモニウムメチルクロリド、ジステアリルジメチルアンモニウムジメチルスルフェート、ジココジメチルアンモニウムジメチルスルフェート等。特に、布地柔軟剤化合物は、好ましくは、少なくとも一つのエステル結合により分子に結合された炭素原子数１２ないし１８のアルキル又は−アルキニル基二つを有する化合物を含む水不溶性第四級アンモニウム材料である。第四級アンモニウム物質中に二つのエステル結合が存在する場合がとりわけ好ましい。本発明において使用するためのとりわけ好ましいエステル結合された第四級アンモニウム物質は、下記式：
【化２５】
2006516665.tif 000026
［式中、
それぞれのＲ48基は、互いに独立して、炭素原子数１ないし４のアルキル基、ヒドロキシアルキル基及び炭素原子数２ないし４のアルケニル基から選択され、
Ｔは−Ｏ−Ｃ（Ｏ）−基又は−Ｃ（Ｏ）−Ｏ−基を表わし、そして
それぞれのＲ49基は、互いに独立して、炭素原子数８ないし２８のアルキル及び−アルケニル基から選択され、そして
ｅは０ないし５の整数を表わす。］で表わされ得る。
【００８３】
第二の好ましい第四級アンモニウム型は次式：
【化２６】
2006516665.tif 000027
［式中、Ｒ48、ｅ及びＲ49は上記において定義されたものと同じ意味を表わす。］で表わされ得る。
【００８４】
（２）イミダゾリニウム型の環状第四級アンモニウム塩、例えば、ジ（水素化獣脂）ジメチルイミダゾリニウムジメチルスルフェート、１−エチレン−ビス（２−獣脂−１−メチル）イミダゾリニウムジメチルスルフェート等。
【００８５】
（３）ジアミド第四級アンモニウム塩、例えば、メチルビス（水素化獣脂−アミドエチル）−２−ヒドロキシエチルアンモニウムジメチルスルフェート、メチルビス（水素化獣脂−アミドエチル）−２−ヒドロキシプロピルアンモニウムジメチルスルフェート等。
【００８６】
（４）生物分解性第四級アンモニウム塩、例えば、Ｎ，Ｎ−ジ（タロオイル−オキシ−エチル）−Ｎ，Ｎ−ジメチルアンモニウムジメチルスルフェート及びＮ，Ｎ−ジ（タロオイル−オキシ−プロピル）−Ｎ，Ｎ−ジメチルアンモニウムジメチルスルフェート。生物分解性第四級アンモニウム塩は、例えば、アメリカ合衆国特許第４１３７１８０号明細書、同第４７６７５４７号明細書及び同第４７８９４９１号明細書に記載されており、そして、前記参照文献により、本明細書中に含まれる。
【００８７】
好ましい生物分解性第四級アンモニウム塩は、生物分解性カチオン性ジエステル化合物、例えばアメリカ合衆国特許第４１３７１８０号明細書に記載されているようなものを包含し、そして、前記参照文献により、本明細書中に含まれる。
【００８８】
（ｉｉ）炭素原子数８ないし３０の、とりわけ、炭素原子数１２ないし２２のアルキル鎖少なくとも一つ、好ましくは二つを含む第三級脂肪アミン。この例は、硬化された獣脂ジメチルアミン及び環状アミン、例えば、１−（水素化獣脂）アミドエチル−２−（水素化獣脂）イミダゾリンを包含する。本明細書において前記配合物のために使用され得る環状アミンは、アメリカ合衆国特許第４８０６２５５号明細書に記載されており、そして、前記参照文献により、本明細書中に含まれる。
【００８９】
（ｉｉｉ）分子当たり、８個ないし３０個の炭素原子及び一つのカルボキシル基を含むカルボン酸。前記アルキル部分は、８個ないし３０個、好ましくは１２個ないし２２個の炭素原子を含む。前記アルキル部分は、直鎖状又は分岐鎖状であっても、飽和又は不飽和であってもよく、直鎖状の飽和されたアルキル基が好ましい。ステアリン酸は、本発明の配合物において使用するために好ましい脂肪酸である。このようなカルボン酸の例は、市販品のステアリン酸及びパルミチン酸並びに、他の酸を少量含み得るそれらの混合物である。
【００９０】
（ｉｖ）多価アルコールのエステル、例えば、ソルビタンエステル又はグリセロールステアレート。ソルビタンエステルは、ソルビトール又はイソソルビトールと脂肪酸、例えばステアリン酸との縮合生成物である。好ましいソルビタンエステルは、モノアルキルエステルである。ソルビタンエステルの典型的な例は、ソルビタンとイソソルビトールステアレートとの混合物であるスパン（ＳＰＡＮ）（登録商標）６０（ＩＣＩ社製）である。
【００９１】
（ｖ）脂肪アルコール、エトキシル化脂肪アルコール、アルキルフェノール、エトキシル化アルキルフェノール、エトキシル化脂肪アミン、エトキシル化モノグリセリド及びエトキシル化ジグリセリド。
【００９２】
（ｖｉ）鉱油、及びポリオール、例えば、ポリエチレングリコール。
【００９３】
このような布地柔軟剤は、アメリカ合衆国特許第４１３４８３８号明細書に非常に詳細
に記載されており、そしてその開示内容は、前記参照文献により、本明細書中に含まれる。本発明において使用するために好ましい布地柔軟剤は、非環状の第四級アンモニウム塩である。上述の布地柔軟剤の混合物を使用することも可能である。
【００９４】
本発明において使用される布地柔軟剤配合物は、該布地柔軟剤配合物の全質量に基づいて、好ましくは、布地柔軟剤約０．１質量％ないし約９５質量％を含む。０．５質量％ないし５０質量％の量、特に２質量％ないし５０質量％の量、そしてより特別には２質量％ないし３０質量％の量が好ましい。
【００９５】
本発明の布地柔軟剤配合物中のカチオン性ポリマーの例は、該布地柔軟剤配合物の全質量に基づいて、好ましくは０．００５質量％ないし１５質量％である。０．０１質量％ないし１０質量％の量、特に０．０５質量％ないし５質量％の量、そしてより特別には０．１質量％ないし５質量％の量が好ましい。
【００９６】
前記布地柔軟剤配合物は、市販の布地柔軟剤組成物に対して慣用の添加剤、例えば、アルコール、例えばエタノール、ｎ−プロパノール、イソプロパノール、多価アルコール、例えばグリセロール及びプロピレングリコール；両性で且つ非イオン性の界面活性剤、例えばイミダゾールのカルボキシル誘導体、エトキシル化脂肪アルコール、水素化され且つエトキシル化されたヒマシ油、アルキルポリグリコシド、例えばデシルポリグルコース及びドデシルポリグルコース、脂肪アルコール、脂肪酸エステル、脂肪酸、エトキシル化脂肪酸グリセリド又は脂肪酸部分グリセリド；更に、無機又は有機塩、例えば水溶性のカリウム塩、ナトリウム塩又はマグネシウム塩；非水性溶剤；ｐＨ緩衝剤；芳香料；着色料；ハイドロトロピー剤；消泡剤；抗灰色化剤；酵素；蛍光増白剤；抗収縮剤；汚染除去剤；殺菌剤；防カビ剤；染料固定剤又は染料移動禁止剤（国際特許出願公開第０２／０２８６５号パンフレットに記載されたようなもの）；抗酸化剤；腐食防止剤；皺回復剤又は湿り汚染防止剤、例えばポリオルガノシロキサン、をも含み得る。後の二つの添加剤は国際特許出願公開第０１２５３８５号パンフレットに記載されている。
【００９７】
このような添加剤は、好ましくは、前記布地柔軟剤配合物の全質量に基づいて、０質量％ないし３０質量％の量使用される。好ましくは０質量％ないし２０質量％の量、特に０質量％ないし１０質量％の量、そしてより特別には０質量％ないし５質量％の量使用される。
【００９８】
前記布地柔軟剤配合物は好ましくは、液体状水溶性の形態で使用される。前記布地柔軟剤配合物は好ましくは、該配合物の全質量に基づいて、２５質量％ないし９０質量％の水分含有率を有する。とりわけ好ましくは、前記水分含有率は５０質量％ないし９０質量％、とりわけ６０質量％ないし９０質量％である。
【００９９】
前記布地柔軟剤配合物は好ましくは、２．０ないし９．０のｐＨ値、とりわけ２．０ないし５．０のｐＨ値を有する。
【０１００】
前記布地柔軟剤配合物は、例えば、下記のように製造され得る。まず、カチオン性ポリマーの水性配合物を、上記方法により製造する。本発明の布地柔軟剤配合物は通常、しかし排他的にでなく、第一に、有効成分、即ち、溶融形態の炭化水素ベースの布地柔軟剤成分を水中で撹拌し、その後、必要であれば、別の望ましい添加剤を添加し、そして最後に、カチオン性ポリマー配合物を添加することにより製造される。前記布地柔軟剤配合物は、例えば、予備配合された布地柔軟剤をカチオン性ポリマーと混合することによっても製造され得る。
【０１０１】
このような布地柔軟剤配合物は、伝統的に、例えば、水中に３０質量％までの活性物質
を含む分散剤の形態で製造される。それらは、通常、濁った外観を有する。しかしながら、溶剤と一緒に５質量％ないし４０質量％の量で有効成分を通常含むもう一つの配合物は、透明な外観を有するミクロエマルジョンの形態でも製造され得る（前記溶剤及び前記配合物については、例えば、アメリカ合衆国特許出願公開第５５４３０６７号明細書及び国際特許出願公開第９８／１７７５７号パンフレットを参照）。
【０１０２】
本発明の非常に好ましい布地柔軟剤配合物は、液体形態であり、そして、
Ａ）前記布地柔軟剤配合物の全質量に基づいて、少なくとも１種の布地柔軟剤成分０．５質量％ないし５０質量％、
Ｂ）前記布地柔軟剤配合物の全質量に基づいて、少なくとも１種の増粘剤、とりわけポリマー状増粘剤０．００５質量％ないし１５質量％、
Ｃ）前記布地柔軟剤配合物の全質量に基づいて、固体組成物であって、
（ｉ）木粉繊維、製紙繊維；活性炭；天然繊維及び布地；セルロース材料；多孔性吸着剤；重合、ポリ縮合により又は、ポリ付加反応により或いは、このような反応の組み合わせにより形成された、架橋されたポリアクリル酸又は、高分散性の固体ポリマー化合物、からなる群からのキャリア材料少なくとも１種、
（ｉｉ）前記固体組成物の全質量に基づいて、ポリアルキレン、シリコーンオイル、ポリジメチルシロキサン、脂肪酸アルカノールアミド及び／又はポリウレタン、或いはそれらの混合物５質量％ないし８０質量％、並びに
（ｉｉｉ）前記固体組成物の全質量に基づいて、水０質量％ないし１０質量％
からなる固体組成物少なくとも１種０．１質量％ないし７０質量％、
Ｄ）前記布地柔軟剤配合物の全質量に基づいて、少なくとも１種の別の慣用の助剤０質量％ないし２０質量％、並びに
Ｅ）前記布地柔軟剤配合物の全質量に基づいて、水１００％質量になるまで
を含む。
【０１０３】
前記布地柔軟剤配合物は、乾燥機において使用するためのシートの形態でも使用され得る。このような使用形態において、配合物は通常、不織布に薬剤を含浸することにより混入される。しかしながら、他の使用形態も知られている。
【０１０４】
前記洗浄剤配合物及び布地柔軟剤配合物、及び更に、上述の他の洗浄剤添加物は、テキスタイル繊維材料の処理においてとりわけ使用される。テキスタイル繊維材料としては、例えば、ヒドロキシ基含有及びアミノ基含有繊維材料が考慮される。記載され得る例は、ポリアミド、羊毛及び、とりわけ、天然及び再生セルロースを包含する。
【０１０５】
本発明は更に、固体組成物であって、
（ｉ）木粉繊維、製紙繊維；活性炭；天然繊維及び布地；セルロース材料；多孔性吸着剤；重合、ポリ縮合により又は、ポリ付加反応により或いは、このような反応の組み合わせにより形成された、架橋されたポリアクリル酸又は、高分散性の固体ポリマー化合物、からなる群からのキャリア材料少なくとも１種、並びに
（ｉｉ）前記配合物の全質量に基づいて、１種又はそれより多くの液体５質量％ないし８０質量％
からなる配合物を含む。
【０１０６】
高い液体含有率にも係わらず、前記の新規固体組成物は微粉状である。
【０１０７】
前記液体は、実質的に、前記の新規固体組成物中に均一に分散されている。
【０１０８】
純粋な非水性液体の代わりに、１種又はそれより多くの非水性液体のエマルジョンを使用することも可能である。
【０１０９】
本発明の固体組成物は、液体として、好ましくは、ポリアルキレンエマルジョン、シリコーンオイル、ポリジメチルシロキサン、脂肪酸アルカノールアミド又はポリウレタン、或いはそれらの混合物を含む。
【０１１０】
前記キャリア材料、前記液体及びそのエマルジョンに対する上述の定義及び好ましい意味の全ては、前記の新規固体組成物に対して同様に適用する。
【０１１１】
本発明の好ましい態様は、更に、固体組成物であって、
（ｉ）木粉、製紙繊維；活性炭；天然繊維及び布地；セルロース材料；多孔性吸着剤樹脂；重合、重縮合により又は、重付加反応により或いは、このような反応の組み合わせにより形成された、架橋ポリアクリル酸又は、高分散性の固体ポリマー化合物、からなる群からのキャリア材料少なくとも１種、
（ｉｉ）前記固体組成物の全質量に基づいて、ポリアルキレン、シリコーンオイル、ポリジメチルシロキサン、脂肪酸アルカノールアミド及び／又はポリウレタン、或いはそれらの混合物２０質量％ないし８０質量％、特に３０質量％ないし８０質量％、より特別に３０質量％ないし７５質量％、並びに
（ｉｉｉ）前記固体組成物の全質量に基づいて、水０質量％ないし１０質量％
からなる固体組成物を含む。
【０１１２】
前記の新規固体組成物は顆粒であり得る。
【実施例】
【０１１３】
下記実施例（固体組成物に対する製造例）は、本発明をそれらに限定することなく、本発明を説明するために役立つ。特記しない限り、下記実施例において、％は質量により、そして温度は摂氏で与えられる。
【０１１４】
実施例：
実施例１
２４％の固体含有率を有するポリアルキレンエマルジョン５部及び、繊維状セルロース［アルボセル（Ａｒｂｏｃｅｌ）ＢＣ２０００、製造者：ジェイ．レッテンマイヤー（Ｊ．Ｒｅｔｔｅｎｍａｉｅｒ）］５部を一緒に混合した。乾燥後、粉末様の材料が得られ、これは貯蔵においてべとつかず、そして更にコンパクトされ得た。有効成分の含有率は約２０％であった。
【０１１５】
実施例２
４０％の固体含有率を有するポリシロキサン１６部及び、７６％の固体含有率を有する尿素−ホルムアルデヒドポリマー化合物［ペルゴパック（Ｐｅｒｇｏｐａｋ）Ｍ、製造者：マルチンスヴェルク（Ｍａｒｔｉｎｓｗｅｒｋ）］５部を一緒に混合し、そして得られた湿った塊状物を次いで７０℃で乾燥した。そうして得られた材料は、有効成分約６０％を含み、貯蔵安定性の良い、そしてコンパクトされて、耐破断性で耐崩壊性のコンパクトを形成し得た。
【０１１６】
実施例３
ポリウレタン溶液［ツルペクス（Ｔｕｒｐｅｘ）ＶＵ、製造者：チバ（Ｃｉｂａ）］２０部と、ペルゴパック（Ｐｅｒｇｏｐａｋ）Ｍ［製造者：マルチンスヴェルク（Ｍａｒｔｉｎｓｗｅｒｋ）］５部との混合物を乾燥して、有効成分含有率約６０％で、タブレットに圧縮されて、コンパクトされ得る、貯蔵安定性の良い粉末を得た。
【０１１７】
実施例４
純粋なシリコーンオイル［ウルトラテクス（Ｕｌｔｒａｔｅｘ）７６４９：チバ（Ｃｉｂａ）］１０部と、ペルゴパック（Ｐｅｒｇｏｐａｋ）Ｍ［製造者：マルチンスヴェルク（Ｍａｒｔｉｎｓｗｅｒｋ）］５部との混合物は、乾燥により残留水を除去した後、約７０％のシリコーンオイル含有率を有する貯蔵可能な、そしてコンパクト化可能な粉末を与えた。
【国際調査報告】
2006516665.tif 000028
2006516665.tif 000029
2006516665.tif 000030